(57)【特許請求の範囲】
【請求項１】
製紙用カンバス又はフェルトの帯状体の洗浄装置であって、
前記帯状体の外方に配置され、前記帯状体の移動方向に対して、向かうように回転し  、前記帯状体上の異物を回転刃で掻き取る回転体を設け、
前記帯状体の外方に配置し、前記帯状体の移動方向に対して、前記回転刃の前方に前方静止刃及び後方に後方静止刃を設け、
前方静止刃と前記回転刃との間及び前記回転刃と前記後方静止刃との間には、それぞれ前記帯状体の浮き上がり防止ローラはなく、前記前方静止刃は前記回転刃に隣接し、前記後方静止刃は前記回転刃に隣接し、
前記前方静止刃及び前記後方静止刃で前記帯状体上の異物を掻き取り、
前記回転刃、前記前方静止刃及び前記後方静止刃で掻き取られた異物は、前記回転体、前記前方静止刃及び前記後方静止刃の下方に配置された受け皿に回収される
ことを特徴とする洗浄装置。
【請求項２】
製紙用カンバス又はフェルトの帯状体上のピッチ等の異物を洗浄する洗浄方法であって、
前記帯状体の外方に配置され、前記帯状体の移動方向に対して、向かうように回転する回転体の回転刃で、前記帯状体上の異物を掻き取り、
前記帯状体の外方に配置し、前記帯状体の移動方向に対して、前記回転刃の前方に前方静止刃及び後方に後方静止刃を設け、
前方静止刃と前記回転刃との間及び前記回転刃と前記後方静止刃との間には、それぞれ前記帯状体の浮き上がり防止ローラはなく、前記前方静止刃は前記回転刃に隣接し、前記後方静止刃は前記回転刃に隣接し、
前記前方静止刃及び前記後方静止刃で前記帯状体上の異物を掻き取り、
前記回転刃、前記前方静止刃及び前記後方静止刃で掻き取られた異物は、前記回転体、前記前方静止刃及び前記後方静止刃の下方に配置された受け皿に回収される
ことを特徴とする洗浄方法。
【発明の詳細な説明】
【技術分野】
【０００１】
本発明は、洗浄装置及び洗浄方法に係り、特に、帯状体上の異物を強力に掻き取ることができる洗浄装置及び洗浄方法に関する。
【背景技術】
【０００２】
従来、抄紙機のドライヤパートに用いられるカンバス等の帯状体上には、紙粉、ピッチ等の異物が付着し、これを静止したブレード（静止刃）で除去するようにしている（特許文献１参照）。
【先行技術文献】
【特許文献】
【０００３】
【特許文献１】実開平６−６９２９７号公報
【発明の概要】
【発明が解決しようとする課題】
【０００４】
しかしながら、上記の静止したブレード（静止刃）での除去では、十分でないという問題点があった。
【０００５】
本発明は、上記の問題点を考慮してなされたもので、帯状体上の異物を強力に掻き取ることができる洗浄装置及び洗浄方法を提供することを目的とする。
【課題を解決するための手段】
【０００６】
請求項１記載の洗浄装置は、製紙用カンバス又はフェルトの帯状体の洗浄装置であって、前記帯状体の外方に配置され、前記帯状体の移動方向に対して、向かうように回転し  、前記帯状体上の異物を回転刃で掻き取る回転体を設け、前記帯状体の外方に配置し、前記帯状体の移動方向に対して、前記回転刃の前方に前方静止刃及び後方に後方静止刃を設け、前方静止刃と前記回転刃との間及び前記回転刃と前記後方静止刃との間には、それぞれ前記帯状体の浮き上がり防止ローラはなく、前記前方静止刃は前記回転刃に隣接し、前記後方静止刃は前記回転刃に隣接し、前記前方静止刃及び前記後方静止刃で前記帯状体上の異物を掻き取り、前記回転刃、前記前方静止刃及び前記後方静止刃で掻き取られた異物は、前記回転体、前記前方静止刃及び前記後方静止刃の下方に配置された受け皿に回収されるものである。
【０００８】
また、請求項２記載の洗浄方法は、製紙用カンバス又はフェルトの帯状体上のピッチ等の異物を洗浄する洗浄方法であって、前記帯状体の外方に配置され、前記帯状体の移動方向に対して、向かうように回転する回転体の回転刃で、前記帯状体上の異物を掻き取り、前記帯状体の外方に配置し、前記帯状体の移動方向に対して、前記回転刃の前方に前方静止刃及び後方に後方静止刃を設け、前方静止刃と前記回転刃との間及び前記回転刃と前記後方静止刃との間には、それぞれ前記帯状体の浮き上がり防止ローラはなく、前記前方静止刃は前記回転刃に隣接し、前記後方静止刃は前記回転刃に隣接し、前記前方静止刃及び前記後方静止刃で前記帯状体上の異物を掻き取り、２前記回転刃、前記前方静止刃及び前記後方静止刃で掻き取られた異物は、前記回転体、前記前方静止刃及び前記後方静止刃の下方に配置された受け皿に回収されるものである。
【発明の効果】
【００１０】
請求項１記載の洗浄装置によれば、帯状体の外方に配置され、前記帯状体の移動方向に対して、向かうように回転し、前記帯状体上の異物を回転刃で掻き取る回転体を設けたため、回転体の回転方向が帯状体の移動方向に対して、向かうように回転する分、帯状体上の異物（異物は、例えば、紙粉、ピッチ等である。）を強力に掻き取ることができる。
【００１１】
また、請求項１記載の洗浄装置によれば、上述に加え、回転体の回転刃で除去できない帯状体上の異物（異物は、例えば、紙粉、ピッチ等である。）を帯状体の外方に配置し、帯状体の移動方向に対して、回転刃の前方、又は、後方、又は、前方及び後方に、設けた静止刃で除去することができる。
面に少なくとも、名前が表示された扁平袋状の表示体とを備え、前記開口部を介して前記表示体を支持部材に被せると共に、前記表示体の下端を台に当接して前記表示体を立設するものである。
【００１２】
また、請求項２記載の洗浄方法によれば、帯状体の外方に配置され、前記帯状体の移動方向に対して、向かうように回転し、前記帯状体上の異物（異物は、例えば、紙粉、ピッチ等である。）を回転刃で掻き取る回転体を設けたため、回転体の回転方向が帯状体の移動方向に対して、向かうように回転する分、帯状体上の等の異物（異物は、例えば、紙粉、ピッチ等である。）を強力に掻き取ることができる。
【００１３】
また、請求項２記載の洗浄方法によれば、上述に加え、回転体の回転刃で除去できない帯状体上の異物（異物は、例えば、紙粉、ピッチ等である。）を帯状体の外方に配置し、帯状体の移動方向に対して、回転刃の前方、又は、後方、又は、前方及び後方に、設けた静止刃で除去することができる。
【図面の簡単な説明】
【００１４】
【図１】図１は、本発明の一実施例の洗浄装置の概略的側面図である。
【図２】図２は、図１の一部を拡大して示す概略的一部拡大側面図である。
【発明を実施するための形態】
【００１５】
本発明の一実施例の洗浄装置及び洗浄方法を図面を参照して説明する。
Ａは抄紙機のドライヤパートに用いられるカンバス等の帯状体上に付着した紙粉、ピッチ等の異物を除去する洗浄装置で、１は製紙用カンバス、フェルト等のメッシュ状の帯状体で、２はローラーである。
図１に記載した帯状体１の矢印は、帯状体１の移動方向（図１で言えば、右から左）を示している。
【００１６】
３は帯状体１の外方に配置された回転体で、回転体３は、帯状体１の移動方向に対して、向かうように回転（向かうように回転は、図１で言えば、回転体３の時計回り方向に回転する。）し、帯状体１上の紙粉、ピッチ等の異物を回転刃３１で掻き取るものである。
なお、回転体３は、帯状体１の「外方」に配置されている。ここで、「外方」とは、無端状の帯状体１で囲まれない部分であり、無端状の帯状体１で囲まれた部分は、「内方」である。図１は、帯状体１の一部を図示し、無端状の帯状体１全体は、図示されていない。図１の１Ｘは「外方」、１Ｙは「内方」をそれぞれ示している。
回転体３は、複数の回転刃３１を有し、回転刃３１は、第１の回転刃挟持部材３２と第２の回転刃挟持部材３３とで挟持され、ボルト３５で固定されるようになっている。
なお、回転体３は、帯状体の移動方向に対して、向かうように回転、図１で言えば、時計回りに回転し、その回転速度は、帯状体の移動方向に対して、適宜に決定されるものである。また、図示しないが、回転刃３１は帯状体１の全幅に亘って設けられている。
【００１７】
従って、上述した洗浄装置（洗浄方法）Ａによれば、帯状体１の外方に配置され、帯状体１の移動方向に対して、向かうように回転し、帯状体１上の異物（異物は、例えば、紙粉、ピッチ等である。）を回転刃３１で掻き取る回転体３を設けたため、回転体３の回転方向が帯状体１の移動方向に対して、向かうように回転する分、帯状体１上の異物を強力に掻き取ることができる（例えば、メッシュ状の帯状体１の目に入り込んでいる異物（異物は、例えば、紙粉、ピッチ等である。）を引き込んで掻き取ることができる。）。
【００１８】
４は、帯状体１の外方に配置し、帯状体１の移動方向に対して、回転体３の前方及び後方に設けられた静止刃で、静止刃４は、帯状体１上の紙粉、ピッチ等の異物を掻き取るものである。
静止刃４は、第１の静止刃挟持部材４１と第２の静止刃挟持部材４２とで挟持され、ボルト４３で固定されるようになっている。
なお、静止刃４は、回転体３の回転刃３１で除去できない帯状体１上の紙粉、ピッチ等の異物を帯状体１の外方に配置し、帯状体１の移動方向に対して、回転体３の前方及び後方に設けた静止刃４で除去することができる。
また、図示しないが、静止刃４は、回転刃３１と同様、帯状体１の全幅に亘って設けられている。
また、回転刃３１、静止刃４で掻き取られた異物は、回転体３及び静止刃４の下方に配置された受け皿５に回収される。
【００１９】
なお、本実施例では、静止刃４を回転体３の前方及び後方に設けたが、本願発明は、これに限らず、静止刃４を回転体３の前方又は後方に設けるようにしても良い。
【符号の説明】
【００２０】
Ａ      洗浄装置
１      帯状体
３      回転体
３１      回転刃
【図１】
0006346514.tif 000002
【図２】
0006346514.tif 000003